(57)【要約】【課題】利用者が各装置に保持されたオーディオデータの差分を迅速に把握することを可能とした「オーディオデータ管理装置、情報処理システム、オーディオデータ管理方法及びオーディオデータ管理プログラム」を提供する。【解決手段】ナビゲーション本体１０内の外部オーディオ機器Ｉ／Ｆ１３は、外部オーディオ機器３０に保持されているオーディオデータの件数及びタイトル名を取得し、モデム１２は、ＰＣに保持されているオーディオデータの件数及びタイトル名を取得する。ＣＰＵ１１は、これら件数及びタイトル名の差分を検出し、表示部１４に検出結果を表示させ、音声出力部１５に検出結果の音声を出力させる。【選択図】図２
2008192234.tif 000002
【特許請求の範囲】
【請求項１】
オーディオデータを管理するオーディオデータ管理装置であって、
第１のオーディオデータ保持装置に保持されている第１のオーディオデータについて、件数及び識別情報を取得する第１の取得手段と、
第２のオーディオデータ保持装置に保持されている第２のオーディオデータについて、件数及び識別情報を取得する第２の取得手段と、
前記第１の取得手段により取得された第１のオーディオデータの件数及び識別情報と、前記第２の取得手段により取得された第２のオーディオデータの件数及び識別情報との差分を検出する差分検出手段と、
前記差分検出手段による検出結果を提示する提示手段とを有することを特徴とするオーディオデータ管理装置。
【請求項２】
前記差分検出手段は、前記第１の取得手段により取得された第１のオーディオデータの件数と前記第２の取得手段により取得された第２のオーディオデータの件数との差を検出するとともに、前記第１の取得手段により取得された第１のオーディオデータの識別情報と前記第２の取得手段により取得された第２のオーディオデータの識別情報とにおいて重複しない識別情報を検出することを特徴とする請求項１に記載のオーディオデータ管理装置。
【請求項３】
前記第１の取得手段は、前記第１のオーディオデータ保持装置によって保持されている第１のオーディオデータについての件数及び識別情報を保持する情報保持装置にアクセスし、前記第１のオーディオデータの件数及び識別情報を取得することを特徴とする請求項１又は２に記載のオーディオデータ管理装置。
【請求項４】
前記第１の取得手段は、通信装置を介して前記第１のオーディオデータの件数及び識別情報を取得することを特徴とする請求項１乃至３のいずれかに記載のオーディオデータ管理装置。
【請求項５】
前記第１及び第２のオーディオデータの識別情報は、該第１及び第２のオーディオデータのタイトル名であることを特徴とする請求項１乃至４のいずれかに記載のオーディオデータ管理装置。
【請求項６】
オーディオデータを管理するオーディオデータ管理装置と、第１のオーディオデータを保持する第１のオーディオデータ保持装置と、第２のオーディオデータを保持する第２のオーディオデータ保持装置とを有し、前記オーディオデータに関する情報処理を行う情報処理システムであって、
前記第１のオーディオデータ保持装置は、
前記第１のオーディオデータの件数及び識別情報を出力する第１の出力手段を有し、
前記第２のオーディオデータ保持装置は、
前記第２のオーディオデータの件数及び識別情報を出力する第２の出力手段を有し、
前記オーディオデータ管理装置は、
前記第１のオーディオデータの件数及び識別情報を取得する第１の取得手段と、
前記第２のオーディオデータの件数及び識別情報を取得する第２の取得手段と、
前記第１の取得手段により取得された第１のオーディオデータの件数及び識別情報と、前記第２の取得手段により取得された第２のオーディオデータの件数及び識別情報との差分を検出する差分検出手段と、
前記差分検出手段による検出結果を提示する提示手段とを有することを特徴とする情報処理システム。
【請求項７】
第１のオーディオデータ保持装置に保持されている第１のオーディオデータについて、件数及び識別情報を取得する第１の取得ステップと、
第２のオーディオデータ保持装置に保持されている第２のオーディオデータについて、件数及び識別情報を取得する第２の取得ステップと、
前記第１の取得ステップにより取得された第１のオーディオデータの件数及び識別情報と、前記第２の取得ステップにより取得された第２のオーディオデータの件数及び識別情報との差分を検出する差分検出ステップと、
前記差分検出ステップによる検出結果を提示する提示ステップとを有することを特徴とするオーディオデータ管理方法。
【請求項８】
第１のオーディオデータ保持装置に保持されている第１のオーディオデータについて、件数及び識別情報を取得する第１の取得ステップと、
第２のオーディオデータ保持装置に保持されている第２のオーディオデータについて、件数及び識別情報を取得する第２の取得ステップと、
前記第１の取得ステップにより取得された第１のオーディオデータの件数及び識別情報と、前記第２の取得ステップにより取得された第２のオーディオデータの件数及び識別情報との差分を検出する差分検出ステップと、
前記差分検出ステップによる検出結果を提示する提示ステップとをコンピュータに実行させることを特徴とするオーディオデータ管理プログラム。
【発明の詳細な説明】
【技術分野】
【０００１】
本発明は、オーディオデータを管理するオーディオデータ管理装置、オーディオデータに関する情報処理を行う情報処理システム、オーディオデータ管理方法及びオーディオデータ管理プログラムに関する。
【背景技術】
【０００２】
近年、車載用のナビゲーション装置は、様々な外部機器を接続して多種多様な機能を実現することが可能となっている。例えば、ナビゲーション装置は、携帯型のオーディオ機器を接続し、当該オーディオ機器に記憶されたオーディオデータを取得、再生する。このようなオーディオ機器は、家庭内のパーソナルコンピュータに記憶されたオーディオデータを読み出して記憶することにより、当該パーソナルコンピュータとの間でオーディオデータの同期を取ることが可能である（例えば、特許文献１参照）。
【特許文献１】特開２００４−５０９８号公報
【発明の開示】
【発明が解決しようとする課題】
【０００３】
しかしながら、オーディオ機器が車載用のナビゲーション装置に接続されたままであると、家庭内のパーソナルコンピュータとの間でオーディオデータの同期を取ることができない。このような場合、利用者がオーディオ機器とパーソナルコンピュータとの間におけるオーディオデータの差分を把握したいと考えても、オーディオ機器を家庭内のパーソナルコンピュータに接続することができない以上、その差分を迅速に把握することは困難である。
【０００４】
本発明の目的は、上述した問題を解決するものであり、利用者が各装置に保持されたオーディオデータの差分を迅速に把握することを可能としたオーディオデータ管理装置、情報処理システム、オーディオデータ管理方法及びオーディオデータ管理プログラムを提供するものである。
【課題を解決するための手段】
【０００５】
本発明に係る、オーディオデータを管理するオーディオデータ管理装置は、第１のオーディオデータ保持装置に保持されている第１のオーディオデータについて、件数及び識別情報を取得する第１の取得手段と、第２のオーディオデータ保持装置に保持されている第２のオーディオデータについて、件数及び識別情報を取得する第２の取得手段と、前記第１の取得手段により取得された第１のオーディオデータの件数及び識別情報と、前記第２の取得手段により取得された第２のオーディオデータの件数及び識別情報との差分を検出する差分検出手段と、前記差分検出手段による検出結果を提示する提示手段とを有することを特徴とする。
【０００６】
この構成によれば、第１及び第２のオーディオデータ保持装置に保持されている第１及び第２のオーディオデータの件数と識別情報を取得し、これらの差分を検出し、更に提示することによって、当該差分を利用者に通知する。従って、２つのオーディオデータ保持装置の間で保持されているオーディオデータの同期を取ることができない場合にも、利用者は、その差分を迅速に把握することができる。
【０００７】
同様の観点から、本発明のオーディオデータ管理装置は、前記差分検出手段が、前記第１の取得手段により取得された第１のオーディオデータの件数と前記第２の取得手段により取得された第２のオーディオデータの件数との差を検出するとともに、前記第１の取得手段により取得された第１のオーディオデータの識別情報と前記第２の取得手段により取得された第２のオーディオデータの識別情報とにおいて重複しない識別情報を検出するようにしてもよい。
【０００８】
また、本発明のオーディオデータ管理装置は、前記第１の取得手段が、前記第１のオーディオデータ保持装置によって保持されている第１のオーディオデータについての件数及び識別情報を保持する情報保持装置にアクセスし、前記第１のオーディオデータの件数及び識別情報を取得するようにしてもよい。
【０００９】
この構成によれば、第１のオーディオデータ保持装置によって保持される第１のオーディオデータについての件数及び識別情報が他の装置に保持される場合には、その装置にアクセスして、当該件数及び識別情報を取得することができる。
【００１０】
また、本発明のオーディオデータ管理装置は、前記第１の取得手段が、通信装置を介して前記第１のオーディオデータの件数及び識別情報を取得するようにしてもよい。
【００１１】
この構成によれば、オーディオデータ管理装置が外部との通信機能を有しない場合には、通信装置を介して第１のオーディオデータの件数及び識別情報を取得することが可能となる。
【００１２】
また、本発明のオーディオデータ管理装置は、前記第１及び第２のオーディオデータの識別情報が、該第１及び第２のオーディオデータのタイトル名であるようにしてもよい。
【００１３】
本発明に係る、オーディオデータを管理するオーディオデータ管理装置と、第１のオーディオデータを保持する第１のオーディオデータ保持装置と、第２のオーディオデータを保持する第２のオーディオデータ保持装置とを有し、前記オーディオデータに関する情報処理を行う情報処理システムは、前記第１のオーディオデータ保持装置が、前記第１のオーディオデータの件数及び識別情報を出力する第１の出力手段を有し、前記第２のオーディオデータ保持装置が、前記第２のオーディオデータの件数及び識別情報を出力する第２の出力手段を有し、前記オーディオデータ管理装置が、前記第１のオーディオデータの件数及び識別情報を取得する第１の取得手段と、前記第２のオーディオデータの件数及び識別情報を取得する第２の取得手段と、前記第１の取得手段により取得された第１のオーディオデータの件数及び識別情報と、前記第２の取得手段により取得された第２のオーディオデータの件数及び識別情報との差分を検出する差分検出手段と、前記差分検出手段による検出結果を提示する提示手段とを有することを特徴とする。
【００１４】
本発明に係るオーディオデータ管理方法は、第１のオーディオデータ保持装置に保持されている第１のオーディオデータについて、件数及び識別情報を取得する第１の取得ステップと、第２のオーディオデータ保持装置に保持されている第２のオーディオデータについて、件数及び識別情報を取得する第２の取得ステップと、前記第１の取得ステップにより取得された第１のオーディオデータの件数及び識別情報と、前記第２の取得ステップにより取得された第２のオーディオデータの件数及び識別情報との差分を検出する差分検出ステップと、前記差分検出ステップによる検出結果を提示する提示ステップとを有することを特徴とする。
【００１５】
本発明に係るオーディオデータ管理プログラムは、第１のオーディオデータ保持装置に保持されている第１のオーディオデータについて、件数及び識別情報を取得する第１の取得ステップと、第２のオーディオデータ保持装置に保持されている第２のオーディオデータについて、件数及び識別情報を取得する第２の取得ステップと、前記第１の取得ステップにより取得された第１のオーディオデータの件数及び識別情報と、前記第２の取得ステップにより取得された第２のオーディオデータの件数及び識別情報との差分を検出する差分検出ステップと、前記差分検出ステップによる検出結果を提示する提示ステップとをコンピュータに実行させることを特徴とする。
【発明の効果】
【００１６】
本発明によれば、２つのオーディオデータ保持装置の間で保持されているオーディオデータの同期を取ることができない場合にも、利用者は、その差分を迅速に把握することができる。
【発明を実施するための最良の形態】
【００１７】
以下、本発明の実施の形態について、図面を参照して具体的に説明する。図１は、本発明の実施形態に係る情報処理システムの構成を示す図である。図１に示す情報処理システムは、車両内１００のオーディオデータ管理装置に対応するナビゲーション本体１０と、通信装置に対応する携帯電話機２０と、第２のオーディオデータ保持装置に対応する外部オーディオ機器３０と、家庭内２００の第１のオーディオデータ保持装置に対応するパーソナルコンピュータ（ＰＣ）４０と、情報保持装置に対応し、オーディオデータベース（ＤＢ）５２を有するサーバ５０と、インターネット６０と、携帯電話通信システム７０とにより構成される。
【００１８】
図２は、ナビゲーション本体１０の構成を示す図である。図２に示すナビゲーション本体１０は、外部オーディオ機器３０に保持されているオーディオデータについての件数及びタイトル名と、ＰＣ４０に保持されているオーディオデータについての件数及びタイトル名との差分を検出し、その検出結果を利用者に提示する。
【００１９】
このナビゲーション本体１０は、差分検出手段に対応し、所定のプログラムを実行することによってナビゲーション本体１０の全体を制御するＣＰＵ１１と、第１の取得手段に対応し、ＵＳＢ（Universal Serial Bus）形式等によって携帯電話機２０と接続されるモデム１２と、第２の取得手段に対応し、外部オーディオ機器３０と接続される外部オーディオ機器インタフェース（Ｉ／Ｆ）１３と、提示手段に対応するモニタ等の表示部１４及びスピーカ等の音声出力部１５とにより構成される。ナビゲーション本体１０の動作の詳細については後述する。
【００２０】
図３は、外部オーディオ機器３０の構成を示す図である。図３に示す外部オーディオ機器３０は、当該外部オーディオ機器３０の全体を制御するＣＰＵ３１と、オーディオデータを記憶するメモリ３２と、第２の出力手段に対応し、ナビゲーション本体１０と接続される通信部３３とにより構成される。
【００２１】
図４は、ＰＣ４０の構成を示す図である。図４に示すＰＣ４０は、ＣＰＵ４１と、コンパクトディスク等のオーディオ記録媒体４５に記録されたオーディオデータを読み取って保持する読取部４２と、第１の出力手段に対応し、インターネット６０と接続されるモデム４３とにより構成される。
【００２２】
次に、ナビゲーション本体１０の動作を説明する。図５は、ナビゲーション本体１０の動作を示すフローチャートである。ナビゲーション本体１０内のＣＰＵ１１は、外部オーディオ機器Ｉ／Ｆ１３に対して、外部オーディオ機器３０へのアクセスを指示する。外部オーディオ機器１３は、この指示に応じて、外部オーディオ機器３０にアクセスする（Ｓ１０１）。
【００２３】
次に、外部オーディオ機器Ｉ／Ｆ１３は、外部オーディオ機器３０に保持されたオーディオデータについての件数及びタイトル名からなるオーディオ関連情報（外部機器オーディオ関連情報）を取得する（Ｓ１０２）。
【００２４】
具体的には、ＣＰＵ１１は、外部オーディオ機器Ｉ／Ｆ１３を介して、外部オーディオ機器３０に対し、保持しているオーディオデータの件数及びタイトル名の出力を指示する。外部オーディオ機器３０内のＣＰＵ３１は、この指示を、通信部３３を介して入力すると、メモリ３２に記憶されているオーディオデータの件数を計数するとともに、当該オーディオデータに含まれるタイトル名を抽出する。更に、ＣＰＵ３２は、図６に示すように、オーディオデータの件数及びタイトル名からなる外部機器オーディオ関連情報を生成し、通信部３３を介してナビゲーション本体１０へ出力する。ナビゲーション本体１０内の外部オーディオ機器Ｉ／Ｆ１３は、この外部機器オーディオ関連情報を取得する。外部オーディオ機器Ｉ／Ｆ１３によって取得された外部オーディオ関連情報は、ＣＰＵ１１へ送られる。
【００２５】
次に、ＣＰＵ１１は、モデム１２に対して、サーバ５０へのアクセスを指示する。モデム１２は、この指示に応じて、携帯電話機２０、携帯電話通信システム７０及びインターネット６０を介して、当該インターネット６０上のサーバ５０にアクセスする（Ｓ１０３）。
【００２６】
サーバ５０は、家庭内２００のＰＣ４０に保持されているオーディオデータについての件数及びタイトル名からなるオーディオ関連情報をオーディオＤＢ５２に保持している。具体的には、ＰＣ４０内のＣＰＵ４１は、読取部４２によって読み取られ、更に保持されているオーディオデータの件数を計数するとともに、当該オーディオデータに含まれるタイトル名を抽出する。更に、ＣＰＵ４１は、図６に示すように、オーディオデータの件数及びタイトル名からなるオーディオ関連情報（ＰＣオーディオ機器関連情報）を生成し、ＰＣ４０の利用者のユーザＩＤ及びパスワードを付加した上で、モデム４３及びインターネット６０を介してサーバ５０へ送信する。サーバ５０は、このユーザＩＤ及びパスワードが付加されたＰＣオーディオ関連情報をオーディオＤＢ５２に登録し、保持させる。
【００２７】
次に、モデム１２は、サーバ５０内のオーディオＤＢ５２に保持されたＰＣオーディオ関連情報を取得する（Ｓ１０４）。
【００２８】
具体的には、ＣＰＵ１１は、モデム１２、携帯電話機２０、携帯電話通信システム７０及びインターネット６０を介して、サーバ５０に対し、保持しているオーディオ関連情報の送信を指示する。この指示には、利用者が図示しない操作部を操作することによって入力される、ＰＣ４０の利用者のユーザＩＤ及びパスワードが含まれている。サーバ５０は、この指示を入力すると、当該指示に含まれるユーザＩＤ及びパスワードを抽出し、オーディオＤＢ５２に保持されているＰＣオーディオ関連情報のうち、これらユーザＩＤ及びパスワードが付加されたものを抽出する。更に、サーバ５０は、抽出したＰＣオーディオ関連情報を、インターネット６０、携帯電話通信システム７０及び携帯電話機２０を介して、ナビゲーション本体１０へ送信する。ナビゲーション本体１０内のモデム１２は、このＰＣオーディオ関連情報を取得する。モデム１２によって取得されたＰＣオーディオ関連情報は、ＣＰＵ１１へ送られる。
【００２９】
次に、ＣＰＵ１１は、外部機器オーディオ関連情報に含まれる件数及びタイトル名、換言すれば、外部オーディオ機器３０に保持されているオーディオデータについての件数及びタイトル名と、ＰＣオーディオ関連情報に含まれる件数及びタイトル名、換言すれば、ＰＣ４０に保持されているオーディオデータについての件数及びタイトル名とを比較する。そして、ＣＰＵ１１は、外部オーディオ機器３０に保持されているオーディオデータとＰＣ４０に保持されているオーディオデータとの件数の差を差分として検出する。更に、ＣＰＵ１１は、外部オーディオ機器３０に保持されているオーディオデータのタイトル名と、ＰＣ４０に保持されているオーディオデータのタイトル名とにおいて、重複しないタイトル名、換言すれば、外部オーディオ機器３０及びＰＣ４０の一方にのみ保持されているオーディオデータのタイトル名を差分として検出する（Ｓ１０５）。
【００３０】
更に、ＣＰＵ１１は、表示部１４に差分の検出結果を表示させるとともに、音声出力部１５に差分の検出結果の音声を出力させる（Ｓ１０６）。図６は、表示部１４に表示される差分検出結果の一例を示す図である。ＣＰＵ１１は、差分として検出した件数の差に基づいて、外部オーディオ機器３０とＰＣ４０のいずれかが、オーディオデータをどれだけ多く保持しているかを表示部１４に表示させる。更に、ＣＰＵ１１は、差分として検出したタイトル名に基づいて、外部オーディオ機器３０のみに保持されているオーディオデータのタイトル名と、ＰＣ４０のみに保持されているオーディオデータのタイトル名とを表示部１４に表示させる。利用者は、上述した表示や音声出力によって、外部オーディオ機器３０に保持されているオーディオデータと、ＰＣ４０に保持されているオーディオデータとの差分を認識し、必要な場合には、帰宅後に外部オーディオ機器３０とＰＣ４０との間で、保持されているオーディオデータの同期を取らせる。
【００３１】
このように、本実施形態の情報処理システムでは、ナビゲーション本体１０は、外部オーディオ機器３０に保持されているオーディオデータと、ＰＣ４０に保持されているオーディオデータのそれぞれについて、件数及びタイトル名を取得し、これらの差分を検出して利用者に提示する。従って、外部オーディオ機器３０が車両内１００に存在し、ＰＣ４０が家庭内２００に存在するために、両者の間で保持されているオーディオデータの同期を取ることができない場合にも、利用者は、その差分を迅速に把握することができる。
【００３２】
なお、上述した実施形態では、外部オーディオ機器３０において外部機器オーディオ関連情報が生成されて、ナビゲーション本体１０に出力されたが、ナビゲーション本体１０において外部機器オーディオ関連情報が生成されるようにしてもよい。この場合、ナビゲーション本体１０内のＣＰＵ１１は、外部オーディオ機器Ｉ／Ｆ１３を介して、外部オーディオ機器３０に対し、保持しているオーディオデータの出力を指示する。外部オーディオ機器３０内のＣＰＵ３１は、この指示を、通信部３３を介して入力すると、メモリ３２に記憶されているオーディオデータを、通信部３３を介してナビゲーション本体１０へ出力する。ナビゲーション本体１０内の外部オーディオ機器Ｉ／Ｆ１３は、このオーディオデータを取得し、ＣＰＵ１１へ出力する。そして、ＣＰＵ１１は、入力したオーディオデータの件数を計数するとともに、当該オーディオデータに含まれるタイトル名を抽出して、これら件数とタイトル名からなる外部機器オーディオ関連情報を生成する。
【００３３】
また、上述した実施形態では、ナビゲーション本体１０が、サーバ５０が内蔵するオーディオＤＢ５２にＰＣオーディオ関連情報を取得したが、ＰＣ４０から直接取得するようにしてもよい。この場合、ナビゲーション本体１０内のＣＰＵ１１は、モデム１２に対して、ＰＣ４０へのアクセスを指示する。モデム１２は、この指示に応じて、携帯電話機２０、携帯電話通信システム７０及びインターネット６０を介して、ＰＣ４０にアクセスする。更に、ＣＰＵ１１は、ＰＣ４０に対し、保持しているオーディオデータの件数及びタイトル名の出力を指示する。ＰＣ４０内のＣＰＵ４１は、この指示を、モデム４３を介して入力すると、読取部４２によって読み取られたオーディオデータの件数を計数するとともに、当該オーディオデータに含まれるタイトル名を抽出する。そして、ＣＰＵ４１は、これら件数及びタイトル名からなるＰＣオーディオ関連情報を生成し、モデム４３を介してナビゲーション本体１０へ送信する。ナビゲーション本体１０内のモデム１２は、このＰＣオーディオ関連情報を取得してＣＰＵ１１へ出力する。
【００３４】
また、上述と同様に、ナビゲーション本体１０においてＰＣオーディオ関連情報が生成されるようにしてもよい。この場合、ナビゲーション本体１０内のＣＰＵ１１は、モデム１２を介して、ＰＣ４０に対し、保持しているオーディオデータの出力を指示する。ＰＣ４０内のＣＰＵ４１は、この指示を、モデム４３を介して入力すると、読取部４２によって読み取られたオーディオデータを、当該モデム４３を介してナビゲーション本体１０へ送信する。ナビゲーション本体１０内のモデム１２は、このオーディオデータを取得し、ＣＰＵ１１へ出力する。そして、ＣＰＵ１１は、入力したオーディオデータの件数を計数するとともに、当該オーディオデータに含まれるタイトル名を抽出して、これら件数とタイトル名からなるＰＣオーディオ関連情報を生成する。
【００３５】
また、上述した実施形態では、オーディオデータの識別情報としてタイトル名を用いたが、オーディオデータのＩＤ等、オーディオデータを一意に特定可能な情報であれば、識別情報として用いることができる。
【産業上の利用可能性】
【００３６】
以上、説明したように、本発明に係るオーディオデータ管理装置、情報処理システム、オーディオデータ管理方法及びオーディオデータ管理プログラムは、利用者が各装置に保持されたオーディオデータの差分を迅速に把握することが可能であり、オーディオデータ管理装置等として有用である。
【図面の簡単な説明】
【００３７】
【図１】情報処理システムの構成を示す図である。
【図２】ナビゲーション本体１０の構成を示す図である。
【図３】外部オーディオ機器３０の構成を示す図である。
【図４】ＰＣの構成を示す図である。
【図５】ナビゲーション本体の動作を示すフローチャートである。
【図６】オーディオ関連情報の一例を示す図である。
【図７】差分検出結果の表示の一例を示す図である。
【符号の説明】
【００３８】
１０  ナビゲーション本体
１１、２１、４１  ＣＰＵ
１２、４３  モデム
１３  外部オーディオ機器Ｉ／Ｆ
１４  表示部
１５  音声出力部
２０  携帯電話機
３０  外部オーディオ機器
３２  メモリ
３３  通信部
４０  ＰＣ
４２  読取部
４５  オーディオ記録媒体
５０  サーバ
５２  オーディオＤＢ
６０  インターネット
７０  携帯電話通信システム
【図１】
2008192234.tif 000003
【図２】
2008192234.tif 000004
【図３】
2008192234.tif 000005
【図４】
2008192234.tif 000006
【図５】
2008192234.tif 000007
【図６】
2008192234.tif 000008
【図７】
2008192234.tif 000009